(57)【要約】【課題】狭帯域の参照信号を無線端末に送信させる場合でも、他の無線端末の上り通信に悪影響を与えることなく、当該無線端末のスループットを改善できる無線基地局を提供する。【解決手段】無線基地局１０は、ＳＲＳを用いて測定された伝搬路特性値に基づいて、周波数帯域が割り当てられる無線端末を選択するスケジューリング処理と、選択された無線端末におけるデータ送信動作を制御する適応送信制御とを行うデータ送信制御部１２０と、データ送信制御部１２０から得られる情報に基づいて、上りシステム帯域においてデータ送信に効果的に利用されていないと推定される低寄与度周波数帯域を特定し、低寄与度周波数帯域に対応する周波数帯域でＳＲＳを送信させるＳＲＳパラメータを生成する設定情報生成部１３０と、生成されたＳＲＳパラメータを無線端末に送信する無線通信部２００とを備える。【選択図】図４
2010258831.tif 000002
【特許請求の範囲】
【請求項１】
上りシステム帯域を複数の周波数帯域に分割して用いる無線通信システムにおいて、上りデータと、無線伝搬路の特性を示す伝搬路特性値の測定に用いられる参照信号とを複数の無線端末それぞれから受信し、前記参照信号が送信された周波数帯域における前記伝搬路特性値を測定する無線基地局であって、
前記測定された伝搬路特性値に基づいて、データ送信用に周波数帯域が割り当てられる無線端末を選択するスケジューリング処理と、前記選択された無線端末におけるデータ送信動作を制御する適応送信制御とを行うデータ送信制御部と、
前記データ送信制御部から得られる所定情報に基づいて、前記上りシステム帯域においてデータ送信に効果的に利用されていないと推定される所定周波数帯域を特定し、前記所定周波数帯域に対応する周波数帯域で前記参照信号を送信させるための参照信号設定情報を生成する設定情報生成部と、
前記参照信号の送信を開始させる無線端末に対し、前記設定情報生成部によって生成された前記参照信号設定情報を送信する設定情報送信部と
を備える無線基地局。
【請求項２】
前記設定情報生成部は、前記参照信号設定情報として、前記所定周波数帯域に対応する周波数帯域から前記参照信号の送信を開始させる情報を生成する請求項１に記載の無線基地局。
【請求項３】
前記所定情報は、前記スケジューリング処理に応じて周波数帯域毎に前記無線端末が割り当てられる確率を示す情報であり、
前記所定周波数帯域は、前記上りシステム帯域において、前記確率に基づく周波数利用率が最も低い周波数帯域である請求項１又は２に記載の無線基地局。
【請求項４】
前記所定情報は、前記適応送信制御に応じて定められる周波数帯域毎のデータ送信量を示す情報であり、
前記所定周波数帯域は、前記上りシステム帯域において、前記データ送信量に基づく周波数効率が最も低い周波数帯域である請求項１又は２に記載の無線基地局。
【請求項５】
前記所定情報は、前記スケジューリング処理において周波数帯域毎に割り当てた前記無線端末について設定される割り当て優先度を示す情報であり、
前記所定周波数帯域は、前記上りシステム帯域において、前記割り当て優先度に基づく周波数優先利用率が最も低い周波数帯域である請求項１又は２に記載の無線基地局。
【請求項６】
前記所定情報は、各周波数帯域について、割り当てた前記無線端末が前記無線基地局のセルエッジ周辺に位置するか否かを示す情報であり、
前記所定周波数帯域は、前記上りシステム帯域において、前記所定情報に基づいて前記セルエッジ周辺に位置すると推定される無線端末数に基づくセルエッジ端末利用率が最も低い周波数帯域である請求項１又は２に記載の無線基地局。
【請求項７】
前記設定情報生成部は、前記参照信号を送信する無線端末の数である送信端末数を周波数帯域毎に計算し、
前記所定周波数帯域は、前記上りシステム帯域において、前記送信端末数が前記参照信号の最大多重数未満である周波数帯域のうち、前記上りシステム帯域においてデータ送信に効果的に利用されていないと推定される周波数帯域である請求項１〜６の何れか一項に記載の無線基地局。
【請求項８】
上りシステム帯域を複数の周波数帯域に分割して用いる無線通信システムにおいて、上りデータと、無線伝搬路の特性を示す伝搬路特性値の測定に用いられる参照信号とを複数の無線端末それぞれから受信し、前記参照信号が送信された周波数帯域における前記伝搬路特性値を測定する無線基地局であって、
前記測定された伝搬路特性値に基づいて、データ送信用に周波数帯域が割り当てられる無線端末を選択するスケジューリング処理と、前記選択された無線端末におけるデータ送信動作を制御する適応送信制御とを行うデータ送信制御部と、
前記データ送信制御部から得られる所定情報に基づいて、前記上りシステム帯域においてデータ送信に効果的に利用されていると推定される所定周波数帯域を特定し、前記所定周波数帯域以外の周波数帯域で前記参照信号を送信させるための参照信号設定情報を生成する設定情報生成部と、
前記参照信号の送信を開始させる無線端末に対し、前記設定情報生成部によって生成された前記参照信号設定情報を送信する設定情報送信部と
を備える無線基地局。
【請求項９】
上りシステム帯域を複数の周波数帯域に分割して用いる無線通信システムにおける無線通信方法であって、
上りデータと、無線伝搬路の特性を示す伝搬路特性値の測定に用いられる参照信号とを複数の無線端末それぞれから無線基地局が受信するステップと、
前記参照信号が送信された周波数帯域における前記伝搬路特性値を前記無線基地局が測定するステップと、
前記推定された伝搬路特性値に基づいて、データ送信用に周波数帯域が割り当てられる無線端末を選択するスケジューリング処理と、前記選択された無線端末におけるデータ送信動作を制御する適応送信制御とを行うステップと、
前記スケジューリング処理又は前記適応送信制御の少なくとも一方から得られる所定情報に基づいて、前記上りシステム帯域においてデータ送信に効果的に利用されていないと推定される所定周波数帯域を特定するステップと、
前記特定するステップにおいて特定された前記所定周波数帯域に対応する周波数帯域で前記参照信号を送信させるための参照信号設定情報を生成するステップと、
前記参照信号の送信を開始させる無線端末に対し、前記生成するステップによって生成された前記参照信号設定情報を前記無線基地局が送信するステップと
を含む無線通信方法。
【請求項１０】
上りシステム帯域を複数の周波数帯域に分割して用いる無線通信システムにおける無線通信方法であって、
上りデータと、無線伝搬路の特性を示す伝搬路特性値の測定に用いられる参照信号とを複数の無線端末それぞれから無線基地局が受信するステップと、
前記参照信号が送信された周波数帯域における前記伝搬路特性値を前記無線基地局が測定するステップと、
前記推定された伝搬路特性値に基づいて、データ送信用に周波数帯域が割り当てられる無線端末を選択するスケジューリング処理と、前記選択された無線端末におけるデータ送信動作を制御する適応送信制御とを行うステップと、
前記スケジューリング処理又は前記適応送信制御の少なくとも一方から得られる所定情報に基づいて、前記上りシステム帯域においてデータ送信に効果的に利用されていると推定される所定周波数帯域を特定するステップと、
前記特定するステップにおいて特定された前記所定周波数帯域以外の周波数帯域で前記参照信号を送信させるための参照信号設定情報を生成するステップと、
前記参照信号の送信を開始させる無線端末に対し、前記生成するステップによって生成された前記参照信号設定情報を前記無線基地局が送信するステップと
を含む無線通信方法。
【発明の詳細な説明】
【技術分野】
【０００１】
本発明は、ＦＤＭＡ無線通信システムで用いられる無線基地局及び無線通信方法に関する。
【背景技術】
【０００２】
近年、多元接続方式として直交周波数分割多元接続（ＯＦＤＭＡ）方式又はシングルキャリア周波数分割多元接続（ＳＣ−ＦＤＭＡ）方式等のＦＤＭＡ方式を使用するＦＤＭＡ無線通信システムが注目されている。ＦＤＭＡ無線通信システムは、システム帯域を複数の周波数帯域に分割して用いる。ＦＤＭＡ無線通信システムの一つであるE-UTRA（Evolved UMTS Terrestrial Radio Access）では、上りシステム帯域を有効に利用してスループットを改善するために、次のような方法が用いられる。
【０００３】
無線基地局は、無線端末から送信される参照信号（Sounding Reference Signal(ＳＲＳ)）に基づいて、無線伝搬路の特性を示す伝搬路特性値を周波数帯域毎に測定（サウンディング）する。無線基地局は、周波数帯域毎の伝搬路特性値に基づいて、データ送信用に周波数帯域が割り当てられる無線端末を選択するスケジューリング処理や、選択された無線端末におけるデータ送信動作（例えば、変調方式、符号化率、送信電力、送信帯域幅等）を制御する適応送信制御を行う。
【０００４】
スケジューリング処理においては、無線端末間の公平性を考慮しながら、伝搬路特性値が良好な無線端末に対する割り当て優先度が高く設定される（例えば、非特許文献１参照）。また、適応送信制御においては、伝搬路特性値が良好な無線端末であるほどスループットの高いデータ送信動作をさせるように制御する。
【０００５】
また、無線基地局との間のパスロスが大きい無線端末（すなわち、セルエッジ周辺の無線端末）が、上りシステム帯域全体に亘る広帯域の参照信号を送信すると、参照信号の電力密度が低下して伝搬路特性値の測定精度が低下する。さらに、そのような広帯域の参照信号を無線端末が送信すると、データ送信に利用できる周波数帯域が相対的に減少する。
【０００６】
このような事情から、セルエッジ周辺の無線端末には、広帯域の参照信号を送信させるのではなく、比較的狭帯域の参照信号を送信させることが想定されている（非特許文献２及び３参照）。具体的には、参照信号の周波数帯域を異ならせつつ参照信号を繰り返し送信させることで、上りシステム帯域全体の伝搬路特性値を測定できる。
【先行技術文献】
【非特許文献】
【０００７】
【非特許文献１】P. Viswanath, D. N. C. Tse, and R. Laroia, “Opportunistic Beamforming Using Dumb Antennas”, IEEE Transactions on Information Theory, vol. 48, no. 6, pp. 1277-1294, June 2002.
【非特許文献２】3GPP, TS36.211, v8.5.0, “Evolved Universal Terrestrial Radio Access (E-UTRA); Physical Channels and Modulation(Release 8)
【非特許文献３】3GPP, R1-070853, “Necessity of Multiple Bandwidths for Sounding Reference Signals”
【発明の概要】
【発明が解決しようとする課題】
【０００８】
参照信号の周波数帯域を異ならせつつ参照信号を繰り返し送信させる場合、上りシステム帯域全体の伝搬路特性値を測定するまでには長時間を要するため、参照信号の送信を開始した無線端末（以下、新規送信端末）については、送信開始から暫くの期間において一部の周波数帯域の伝搬路特性値のみが利用可能な状態になる。
【０００９】
しかしながら、当該一部の周波数帯域において、他の無線端末（以下、既存端末）の伝搬路特性値の方が良好であるような場合、新規送信端末に対する割り当て優先度が低くなるため、新規送信端末のデータ送信機会が少なくなり、高いスループットを得ることができない。
【００１０】
ここで、既存端末のデータ送信機会を減少させずに新規送信端末のデータ送信機会を増加させる方法としては、当該一部の周波数帯域以外の他の周波数帯域を既存端末又は新規送信端末に割り当てることが考えられる。
【００１１】
しかし、既存端末に他の周波数帯域を割り当てる場合には、当該他の周波数帯域の伝搬路特性値が劣化していると、既存端末のスループットが低下する。また、新規送信端末に他の周波数帯域を割り当てる場合には、当該他の周波数帯域の伝搬路特性値が測定されていないため、適応送信制御が正常に機能せず、新規送信端末は高いスループットを得ることができない。
【００１２】
そこで、本発明は、狭帯域の参照信号を無線端末に送信させる場合でも、他の無線端末の上り通信に悪影響を与えることなく、当該無線端末のスループットを改善できる無線基地局及び無線通信方法を提供することを目的とする。
【課題を解決するための手段】
【００１３】
上述した課題を解決するために、本発明は以下のような特徴を有している。まず、本発明の第１の特徴は、上りシステム帯域を複数の周波数帯域に分割して用いる無線通信システム（無線通信システム１）において、上りデータと、無線伝搬路の特性を示す伝搬路特性値の測定に用いられる参照信号（ＳＲＳ）とを複数の無線端末（例えば、無線端末ＵＥ１〜無線端末ＵＥ３）それぞれから受信し、前記参照信号が送信された周波数帯域における前記伝搬路特性値を測定する無線基地局（無線基地局１０）であって、前記測定された伝搬路特性値に基づいて、データ送信用に周波数帯域が割り当てられる無線端末を選択するスケジューリング処理と、前記選択された無線端末におけるデータ送信動作を制御する適応送信制御とを行うデータ送信制御部（データ送信制御部１２０）と、前記データ送信制御部から得られる所定情報に基づいて、前記上りシステム帯域においてデータ送信に効果的に利用されていないと推定される所定周波数帯域（低寄与度周波数帯域）を特定し、前記所定周波数帯域に対応する周波数帯域で前記参照信号を送信させるための参照信号設定情報（ＳＲＳパラメータ）を生成する設定情報生成部（設定情報生成部１３０）と、前記参照信号の送信を開始させる無線端末（例えば無線端末ＵＥ３）に対し、前記設定情報生成部によって生成された前記参照信号設定情報を送信する設定情報送信部（無線通信部２００）とを備えることを要旨とする。
【００１４】
このような特徴によれば、無線端末（新規送信端末）に対し、データ送信に効果的に利用されていないと推定される所定周波数帯域に対応する周波数帯域で参照信号の送信を開始させる。これにより、当該無線端末（新規送信端末）について当該所定周波数帯域の伝搬路特性値を測定できるため、当該所定周波数帯域を当該無線端末（新規送信端末）に割り当て易くすることができ、当該無線端末（新規送信端末）が多くのデータ送信機会を得ることができる。当該所定周波数帯域が当該無線端末（新規送信端末）に割り当てられた場合、当該所定周波数帯域の伝搬路特性値が測定されているため、当該伝搬路特性値を用いた適応送信制御が良好に機能して、当該無線端末（新規送信端末）のスループットが改善される。また、他の無線端末（既存端末）については、データ送信に効果的に利用されていると推定される周波数帯域の利用を継続でき、他の無線端末（既存端末）のデータ送信機会を維持できるため、他の無線端末（既存端末）のスループット低下も回避できる。
【００１５】
したがって、上記の特徴に係る無線基地局によれば、狭帯域の参照信号を無線端末（新規送信端末）に送信させる場合でも、他の無線端末（既存端末）に悪影響を与えることなく、当該無線端末（新規送信端末）のスループットを改善できる。
【００１６】
本発明の第２の特徴は、本発明の第１の特徴に係り、前記設定情報生成部は、前記参照信号設定情報として、前記所定周波数帯域に対応する周波数帯域から前記参照信号の送信を開始させる情報を生成することを要旨とする。
【００１７】
本発明の第３の特徴は、本発明の第１又は第２の特徴に係り、前記所定情報は、前記スケジューリング処理に応じて周波数帯域毎に前記無線端末が割り当てられる確率（所定時間に割り当てられる無線端末数）を示す情報であり、前記所定周波数帯域は、前記上りシステム帯域において、前記確率に基づく周波数利用率が最も低い周波数帯域であることを要旨とする。
【００１８】
本発明の第４の特徴は、本発明の第１又は第２の特徴に係り、前記所定情報は、前記適応送信制御に応じて定められる周波数帯域毎のデータ送信量を示す情報であり、前記所定周波数帯域は、前記上りシステム帯域において、前記データ送信量に基づく周波数効率が最も低い周波数帯域であることを要旨とする。
【００１９】
本発明の第５の特徴は、本発明の第１又は第２の特徴に係り、前記所定情報は、前記スケジューリング処理において周波数帯域毎に割り当てた前記無線端末について設定される割り当て優先度（無線端末が周波数帯域毎に設定している割り当て優先度）を示す情報であり、前記所定周波数帯域は、前記上りシステム帯域において、前記割り当て優先度に基づく周波数優先利用率が最も低い周波数帯域であることを要旨とする。
【００２０】
本発明の第６の特徴は、本発明の第１又は第２の特徴に係り、前記所定情報は、各周波数帯域について、割り当てた無線端末が前記無線基地局のセルエッジ周辺に位置するか否かを示す情報であり、前記所定周波数帯域は、前記上りシステム帯域において、前記所定情報に基づいて前記セルエッジ周辺に位置すると推定される無線端末数に基づくセルエッジ端末利用率が最も低い周波数帯域であることを要旨とする。
【００２１】
本発明の第７の特徴は、本発明の第１〜第６の何れかの特徴に係り、前記設定情報生成部は、前記参照信号を送信する無線端末の数である送信端末数を周波数帯域毎に計算し、前記所定周波数帯域は、前記上りシステム帯域において、前記送信端末数が前記参照信号の最大多重数未満である周波数帯域のうち、前記上りシステム帯域においてデータ送信に効果的に利用されていないと推定される周波数帯域であることを要旨とする。
【００２２】
本発明の第８の特徴は、上りシステム帯域を複数の周波数帯域に分割して用いる無線通信システム（無線通信システム１）において、上りデータと、無線伝搬路の特性を示す伝搬路特性値の測定に用いられる参照信号（ＳＲＳ）とを複数の無線端末（例えば、無線端末ＵＥ１〜無線端末ＵＥ３）それぞれから受信し、前記参照信号が送信された周波数帯域における前記伝搬路特性値を測定する無線基地局（無線基地局１０）であって、前記測定された伝搬路特性値に基づいて、データ送信用に周波数帯域が割り当てられる無線端末を選択するスケジューリング処理と、前記選択された無線端末におけるデータ送信動作を制御する適応送信制御とを行うデータ送信制御部（データ送信制御部１２０）と、前記データ送信制御部から得られる所定情報に基づいて、前記上りシステム帯域においてデータ送信に効果的に利用されていると推定される所定周波数帯域（高寄与度周波数帯域）を特定し、前記所定周波数帯域以外の周波数帯域で前記参照信号を送信させるための参照信号設定情報（ＳＲＳパラメータ）を生成する設定情報生成部（設定情報生成部１３０）と、前記参照信号の送信を開始させる無線端末（例えば無線端末ＵＥ３）に対し、前記設定情報生成部によって生成された前記参照信号設定情報を送信する設定情報送信部（無線通信部２００）とを備えることを要旨とする。
【００２３】
本発明の第９の特徴は、上りシステム帯域を複数の周波数帯域に分割して用いる無線通信システムにおける無線通信方法であって、上りデータと、無線伝搬路の特性を示す伝搬路特性値の測定に用いられる参照信号とを複数の無線端末それぞれから無線基地局が受信するステップ（ステップＳ１）と、前記参照信号が送信された周波数帯域における前記伝搬路特性値を前記無線基地局が測定するステップ（ステップＳ２）と、前記推定された伝搬路特性値に基づいて、データ送信用に周波数帯域が割り当てられる無線端末を選択するスケジューリング処理と、前記選択された無線端末におけるデータ送信動作を制御する適応送信制御とを行うステップ（ステップＳ３，Ｓ４）と、前記スケジューリング処理又は前記適応送信制御の少なくとも一方から得られる所定情報に基づいて、前記上りシステム帯域においてデータ送信に効果的に利用されていないと推定される所定周波数帯域を特定するステップ（ステップＳ７Ａ，Ｓ７Ｂ，Ｓ７Ｃ，又はＳ７Ｄ）と、前記特定するステップにおいて特定された前記所定周波数帯域に対応する周波数帯域で前記参照信号を送信させるための参照信号設定情報を生成するステップ（ステップＳ８）と、前記参照信号の送信を開始させる無線端末に対し、前記生成するステップによって生成された前記参照信号設定情報を前記無線基地局が送信するステップ（ステップＳ９）とを含むことを要旨とする。
【００２４】
本発明の第９の特徴は、上りシステム帯域を複数の周波数帯域に分割して用いる無線通信システムにおける無線通信方法であって、上りデータと、無線伝搬路の特性を示す伝搬路特性値の測定に用いられる参照信号とを複数の無線端末それぞれから無線基地局が受信するステップ（ステップＳ１）と、前記参照信号が送信された周波数帯域における前記伝搬路特性値を前記無線基地局が測定するステップ（ステップＳ２）と、前記推定された伝搬路特性値に基づいて、データ送信用に周波数帯域が割り当てられる無線端末を選択するスケジューリング処理と、前記選択された無線端末におけるデータ送信動作を制御する適応送信制御とを行うステップ（ステップＳ３，Ｓ４）と、前記スケジューリング処理又は前記適応送信制御の少なくとも一方から得られる所定情報に基づいて、前記上りシステム帯域においてデータ送信に効果的に利用されていないと推定される所定周波数帯域を特定するステップ（ステップＳ７Ａ，Ｓ７Ｂ，Ｓ７Ｃ，又はＳ７Ｄ）と、前記特定するステップにおいて特定された前記所定周波数帯域に対応する周波数帯域で前記参照信号を送信させるための参照信号設定情報を生成するステップ（ステップＳ８）と、前記参照信号の送信を開始させる無線端末に対し、前記生成するステップによって生成された前記参照信号設定情報を前記無線基地局が送信するステップ（ステップＳ９）とを含むことを要旨とする。
【００２５】
本発明の第１０の特徴は、上りシステム帯域を複数の周波数帯域に分割して用いる無線通信システムにおける無線通信方法であって、上りデータと、無線伝搬路の特性を示す伝搬路特性値の測定に用いられる参照信号とを複数の無線端末それぞれから無線基地局が受信するステップと、前記参照信号が送信された周波数帯域における前記伝搬路特性値を前記無線基地局が測定するステップと、前記推定された伝搬路特性値に基づいて、データ送信用に周波数帯域が割り当てられる無線端末を選択するスケジューリング処理と、前記選択された無線端末におけるデータ送信動作を制御する適応送信制御とを行うステップと、前記スケジューリング処理又は前記適応送信制御の少なくとも一方から得られる所定情報に基づいて、前記上りシステム帯域においてデータ送信に効果的に利用されていると推定される所定周波数帯域を特定するステップと、前記特定するステップにおいて特定された前記所定周波数帯域以外の周波数帯域で前記参照信号を送信させるための参照信号設定情報を生成するステップと、前記参照信号の送信を開始させる無線端末に対し、前記生成するステップによって生成された前記参照信号設定情報を前記無線基地局が送信するステップとを含むことを要旨とする。
【発明の効果】
【００２６】
本発明によれば、狭帯域の参照信号を無線端末に送信させる場合でも、他の無線端末の上り通信に悪影響を与えることなく、当該無線端末のスループットを改善できる無線基地局及び無線通信方法を提供できる。
【図面の簡単な説明】
【００２７】
【図１】本発明の実施形態に係る無線通信システムの全体概略構成図である。
【図２】ＳＲＳパラメータにおいて設定可能な各項目を説明するための図である。
【図３】ＳＲＳを含む上りサブフレームの構成例を示す図である。
【図４】本発明の実施形態に係る無線基地局の構成を示すブロック図である。
【図５】本発明の実施形態に係る無線基地局の動作パターン１を示すフローチャートである。
【図６】本発明の実施形態に係る無線基地局の動作パターン２を示すフローチャートである。
【図７】本発明の実施形態に係る特定部の動作を説明するための図である。
【図８】本発明の実施形態に係る無線基地局の動作パターン３を示すフローチャートである。
【図９】本発明の実施形態に係る無線基地局の動作パターン４を示すフローチャートである。
【発明を実施するための形態】
【００２８】
次に、図面を参照して、本発明の実施形態を説明する。具体的には、（１）無線通信システムの構成、（２）ＳＲＳ、（３）無線基地局の構成、（４）無線基地局の動作、（５）作用・効果、（６）その他の実施形態について説明する。以下の実施形態における図面の記載において、同一又は類似の部分には同一又は類似の符号を付している。
【００２９】
（１）無線通信システムの構成
図１は、本実施形態に係る無線通信システム１の全体概略構成図である。
【００３０】
無線通信システム１は、例えばE-UTRAに基づいて構成されており、セルＣを形成する無線基地局１０を有する。E-UTRAは、標準化プロジェクトである3GPP(3rd Generation Partnership Project)において標準化が行われており、ダウンリンクにおいて最大300Mbps、上りにおいて最大75Mbpsのデータ伝送レートを達成する。
【００３１】
図１の例では、セルＣ内には、無線端末ＵＥ１、無線端末ＵＥ２、及び無線端末ＵＥ３が位置している。なお、以下において、無線端末ＵＥ１、無線端末ＵＥ２、及び無線端末ＵＥ３を適宜「無線端末ＵＥ」と総称する。
【００３２】
無線基地局１０は、無線端末ＵＥとの無線通信を行う。以下においては、主に、無線基地局１０と無線端末ＵＥとの間の上り通信について説明する。
【００３３】
無線端末ＵＥ１及び無線端末ＵＥ２は、無線基地局１０の近くに位置しており、無線端末ＵＥ３は、無線基地局１０から遠く（セルエッジ周辺）に位置している。すなわち、無線基地局１０と無線端末ＵＥ３との間のパスロスは大きい。無線端末ＵＥ３は、無線基地局１０との上り通信を新たに開始するものとする。
【００３４】
E-UTRAの上り通信方式には、カバレッジの拡大と、無線端末ＵＥの低消費電力化の観点から、ピーク対平均電力比（PAPR）の小さい送信信号を生成できるSC-FDMAが採用されている。このようなＦＤＭＡ無線通信システムにおいては、上りシステム帯域が複数の周波数帯域に分割して用いられる。なお、本実施形態では、複信方式として周波数分割複信（ＦＤＤ）方式が採用されているものとし、上りシステム帯域と下りシステム帯域とが異なる。また、本実施形態において“周波数帯域”とは、無線端末ＵＥに割り当てられるリソースの最小単位であるリソースブロック（ＲＢ）の周波数帯域又はその整数倍を意味する。
【００３５】
SC-FDMAのような周波数分割に基づく上り通信では、周波数選択性フェージングを考慮し、各周波数帯域を、それぞれ伝搬路特性値（例えば、ＳＩＮＲ等）の良い無線端末ＵＥに割り当てる周波数領域スケジューリング（スケジューリング処理）が有効である。
【００３６】
上り通信において、周波数領域スケジューリングによるスループット改善効果を得るためには、無線基地局１０が、各無線端末ＵＥについて、上りシステム帯域全体の伝搬路特性値を把握することが好ましい。E-UTRAでは、伝搬路特性値を測定するための参照信号としてＳＲＳが用意されており、ＳＲＳを無線端末ＵＥに周期的に送信させることが可能である。無線基地局１０は、無線基地局１０に送信されるユーザデータである上りデータ（以下、適宜「データ」と称する）と、ＳＲＳとを各無線端末ＵＥから受信する。無線基地局１０は、受信したＳＲＳを用いて、ＳＲＳが送信された周波数帯域における伝搬路特性値を測定する。
【００３７】
（２）ＳＲＳ
次に、ＳＲＳについて説明する。ＳＲＳは、無線基地局１０において既知の信号系列であり、１つのサイクリックシフト量と、１つの基本系列によって定義される。例えば基本系列では、時間、周波数両方の領域において固定の振幅を持ち、サイクリックシフトさせた系列が互いに直交するZadoff-Chu系列が適用されている。
【００３８】
無線基地局１０は、無線端末ＵＥが送信するＳＲＳに関する各パラメータを指定可能である。無線端末ＵＥは、無線基地局１０から送信されるＳＲＳパラメータ（参照信号設定情報）に基づき、指定された送信電力、時間、及び周波数に応じたＳＲＳを生成する。無線端末ＵＥは、無線基地局１０からの受信信号に基づき、無線基地局１０との間のパスロスなどを測定し、測定結果を示すレポート情報を生成する。無線端末ＵＥは、ＳＲＳおよびレポート情報を無線基地局１０に送信する。
【００３９】
図２は、ＳＲＳパラメータにおいて設定可能な各項目を説明するための図である。ただし、図２においては、ＳＲＳパラメータにおいて設定可能な各項目のうち本発明に関連する内容を図示している。
【００４０】
無線基地局１０が設定可能な項目としては、例えば、ＳＲＳ送信帯域幅、ＳＲＳ送信周期、ＳＲＳホッピング帯域幅、ＳＲＳ送信開始帯域、ＳＲＳ送信電力等がある。ＳＲＳ送信帯域幅とは、無線端末ＵＥがＳＲＳを送信する際のＳＲＳの周波数帯域幅である。ＳＲＳ送信周期とは、無線端末ＵＥにＳＲＳを送信させる周期である。ＳＲＳホッピング帯域幅とは、上りシステム帯域においてＳＲＳの送信を許容する範囲である。ＳＲＳ送信開始帯域とは、ＳＲＳホッピング帯域幅において最初にＳＲＳを送信させる周波数帯域である。ＳＲＳ送信電力とは、無線端末ＵＥがＳＲＳを送信する際のＳＲＳの送信電力である。
【００４１】
無線端末ＵＥに設定されたＳＲＳ送信帯域幅が、ＳＲＳホッピング帯域幅よりも小さい場合、サブフレームごとに、ＳＲＳの送信帯域をホッピングさせることで、広帯域のサウンディングが可能である。すなわち、ＳＲＳの送信帯域を異ならせつつＳＲＳを繰り返し送信させることで、無線基地局１０が上りシステム帯域全体の伝搬路特性値を測定できる。ただし、ＳＲＳの送信帯域を異ならせつつＳＲＳを繰り返し送信させる場合、上りシステム帯域全体の伝搬路特性値を測定するまでには長時間を要するため、ＳＲＳの送信を開始した無線端末ＵＥについては、送信開始から暫くの期間において一部の周波数帯域の伝搬路特性値のみが利用可能な状態になる。
【００４２】
図３は、ＳＲＳを含む上りサブフレームの構成例を示す図である。
【００４３】
サブフレームは２つのスロットから構成されている。各スロットは７つ程度のSC-FDMAシンボルで構成されており、ＳＲＳは、サブフレームの最終SC-FDMAシンボルに挿入することが可能である。ＳＲＳの送信に使用されるサブフレームでは、最終SC-FDMAシンボルはＳＲＳ専用となり、上りデータ送信用のPUSCH（Physical Uplink Shared Channel）として用いることはできない。
【００４４】
E-UTRAでは、広帯域のＳＲＳを送信させた場合の、送信電力制限による受信電力密度の低下、およびセルエッジ付近の無線端末ＵＥによる周辺セルへの干渉を考慮して、複数のＳＲＳ送信帯域幅がサポートされている。セルエッジ付近の無線端末ＵＥが広帯域のＳＲＳを送信した場合、送信電力の制限により、無線基地局１０での受信電力密度が低下し、伝搬路特性値の測定精度が劣化してしまうため、狭帯域のＳＲＳを送信させることが好ましい。一方、送信電力に余裕のある無線基地局１０近傍の無線端末ＵＥには、広帯域のＳＲＳを割り当てたほうがよい。
【００４５】
無線基地局１０は、例えば無線端末ＵＥから報告されるパスロスに応じてＳＲＳ送信帯域幅を設定する。図３（ａ）のような設定は、パスロスが中程度の無線端末ＵＥ（無線端末ＵＥ１、無線端末ＵＥ２）に対して適用される。一方、図３（ｂ）のような設定は、パスロスが大きい無線端末ＵＥ（図１の無線端末ＵＥ３）に対して適用される。
【００４６】
ＳＲＳ送信周期については、無線端末ＵＥの移動速度（伝搬路特性値の変動度）に対して十分に短く設定することで、ＳＲＳを用いて測定した伝搬路特性値と、リソースが割り当てられて上りデータを送信した時の伝搬路特性値との間の誤差を小さく保つことができ、スケジューリング処理、およびリンクアダプテーション（適応送信制御）によるゲインを十分に引き出すことが可能となる。例えば、低速移動の端末では、チャネル状況の変動は非常にゆるやかであるため、ＳＲＳ送信周期を長く設定することで、ＳＲＳリソースを抑えることが出来る。
【００４７】
なお、サイクリックシフトさせた系列によるCDMA(Code Division Multiplexing Access)、又は、D-FDMA(Distributed FDMA)等を利用することで、同一サブフレームにおいて複数の無線端末ＵＥが送信するＳＲＳを多重化することができる。同一ＳＲＳ送信帯域幅のＳＲＳの多重には、サイクリックシフトによる直交系列を用いたCDMAが適用される。一方、ＳＲＳ送信帯域幅が異なる場合には、直交系列を生成することが困難であるため、くし歯状のスペクトルを有するD-FDMAが適用される。くし歯の間隔は、生成できる系列数を考慮して2サブキャリアとなっているため、D-FDMAによるＳＲＳ最大多重数は２である。
【００４８】
（３）無線基地局の構成
次に、図４を用いて、（３．１）無線基地局の概略構成、（３．２）無線基地局の詳細構成について説明する。図４は、無線基地局１０の構成を示すブロック図である。
【００４９】
（３．１）無線基地局の概略構成
図４に示すように、無線基地局１０は、制御部１００、無線通信部２００、有線通信部３００、及び記憶部４００を有する。
【００５０】
無線通信部２００は、アンテナＡＮＴを介して無線端末ＵＥと無線通信を実行する。無線通信部２００には、無線端末ＵＥとのＭＩＭＯ（Multiple Input Multiple Output）通信を実行するための複数のアンテナＡＮＴに接続されている。
【００５１】
無線通信部２００は、各無線端末ＵＥから送信された上りデータ、ＳＲＳ、及びレポート情報等をアンテナＡＮＴを介して受信し、所定の受信処理を施す。有線通信部３００は、バックホールネットワークを介して他の機器と有線通信を実行する。記憶部４００は、例えばメモリによって構成され、無線基地局１０における制御などに用いられる各種情報を記憶する。
【００５２】
制御部１００は、例えばＣＰＵによって構成され、無線基地局１０が具備する各種機能を制御する。制御部１００は、チャネル推定部１１０、データ送信制御部１２０、及び設定情報生成部１３０を有する。
【００５３】
チャネル推定部１１０は、無線通信部２００が受信したＳＲＳを用いて、各無線端末ＵＥとの間の各周波数帯域の伝搬路特性値を測定するチャネル推定処理を行う。チャネル推定部１１０は、チャネル推定処理により得られた伝搬路特性値をデータ送信制御部１２０に通知する。
【００５４】
データ送信制御部１２０は、伝搬路特性値に基づいて、スケジューリング処理及びリンクアダプテーションを行う。スケジューリング処理とは、データ送信用にリソースが割り当てられる無線端末を選択する処理である。なお、スケジューリング処理には、時間領域スケジューリングと周波数領域スケジューリングとがあるが、本実施形態では周波数領域スケジューリングについて説明する。リンクアダプテーションとは、伝搬路特性値に応じた変調方式、符号化率、送信帯域幅などを適応的に制御する処理（適応送信制御）である。
【００５５】
設定情報生成部１３０は、データ送信制御部１２０から得られる所定情報に基づいて、低寄与度周波数帯域（所定周波数帯域）を特定し、低寄与度周波数帯域に対応する周波数帯域でＳＲＳを送信させるためのＳＲＳパラメータ（参照信号設定情報）を生成する。ここで、低寄与度周波数帯域とは、上りシステム帯域においてデータ送信に効果的に利用されていないと推定される周波数帯域、すなわち、無線端末ＵＥとの上り通信における寄与度が低い周波数帯域である。低寄与度周波数帯域は、伝搬路特性値を優先的に測定すべき周波数帯域ということになる。
【００５６】
本実施形態では、設定情報生成部１３０は、ＳＲＳパラメータのうちのＳＲＳ送信開始帯域を低寄与度周波数帯域に対応する周波数帯域に設定する。無線通信部２００は、ＳＲＳの送信を開始させる無線端末ＵＥに対し、設定情報生成部１３０によって生成されたＳＲＳパラメータ（参照信号設定情報）を送信する設定情報送信部を構成する。
【００５７】
本実施形態では、設定情報生成部１３０は、以下の動作パターン１〜４で動作する。動作パターン１〜４それぞれは、低寄与度周波数帯域の特定方法が異なる。上り通信の通信状況等に応じて動作パターン１〜４のうち使用する動作パターンを適宜切り替えてもよい。
【００５８】
動作パターン１では、上りシステム帯域を構成する各周波数帯域のうち、無線端末ＵＥが割り当てられる確率が最も低いと推定される周波数帯域を低寄与度周波数帯域とする。動作パターン１において、データ送信制御部１２０から得られる所定情報とは、スケジューリング処理に応じて周波数帯域毎に無線端末ＵＥが割り当てられる確率（所定時間に割り当てられる無線端末数）を示す情報である。設定情報生成部１３０は、上りシステム帯域において、無線端末ＵＥ数に基づく周波数利用率が最も低い周波数帯域を低寄与度周波数帯域として特定する。
【００５９】
動作パターン２は、上りシステム帯域を構成する各周波数帯域のうち、データ送信量（スループット）が最も少ないと推定される周波数帯域を低寄与度周波数帯域とする。動作パターン２において、データ送信制御部１２０から得られる所定情報とは、リンクアダプテーションに応じて定められる周波数帯域毎のデータ送信量を示す情報である。設定情報生成部１３０は、上りシステム帯域において、データ送信量に基づく周波数効率が最も低い周波数帯域を低寄与度周波数帯域として特定する。
【００６０】
動作パターン３は、上りシステム帯域を構成する各周波数帯域のうち、スケジューリング処理において周波数帯域毎に設定される割り当て優先度が最も低いと推定される周波数帯域を低寄与度周波数帯域とする。動作パターン３において、データ送信制御部１２０から得られる所定情報とは、スケジューリング処理において周波数帯域毎に割り当てた無線端末ＵＥについて設定される割り当て優先度（無線端末ＵＥが周波数帯域毎に設定している割り当て優先度）を示す情報である。設定情報生成部１３０は、上りシステム帯域において、割り当て優先度に基づく周波数優先利用率が最も低い周波数帯域を低寄与度周波数帯域として特定する。
【００６１】
動作パターン４は、上りシステム帯域を構成する各周波数帯域のうち、セルエッジ周辺に位置すると推定される無線端末ＵＥに割り当てられる確率が最も低いと推定される周波数帯域を低寄与度周波数帯域とする。動作パターン４において、データ送信制御部１２０から得られる所定情報とは、各周波数帯域について、割り当てた無線端末ＵＥがセルエッジ周辺に位置するか否かを示す情報である。設定情報生成部１３０は、上りシステム帯域において、前記所定情報に基づいてセルエッジ周辺に位置すると推定される無線端末ＵＥ数に基づくセルエッジ端末利用率が最も低い周波数帯域を低寄与度周波数帯域として特定する。
【００６２】
なお、動作パターン１〜４の何れにおいても、ＳＲＳの最大多重数に達している周波数帯域についてはＳＲＳを送信させることが困難であるため、ＳＲＳの最大多重数を考慮した特定方法が好ましい。本実施形態では、設定情報生成部１３０は、ＳＲＳを送信する無線端末ＵＥの数である送信端末数を周波数帯域毎に計算する。動作パターン１において設定情報生成部１３０は、ＳＲＳの最大多重数未満である周波数帯域のうち、周波数利用率が最も低い周波数帯域を低寄与度周波数帯域として特定する。同様に、動作パターン２において設定情報生成部１３０は、ＳＲＳの最大多重数未満である周波数帯域のうち、周波数効率が最も低い周波数帯域を低寄与度周波数帯域として特定する。動作パターン３において設定情報生成部１３０は、ＳＲＳの最大多重数未満である周波数帯域のうち、周波数優先利用率が最も低い周波数帯域を低寄与度周波数帯域として特定する。動作パターン４において設定情報生成部１３０は、ＳＲＳの最大多重数未満である周波数帯域のうち、セルエッジ端末利用率が最も低い周波数帯域を低寄与度周波数帯域として特定する。
【００６３】
（３．２）無線基地局の詳細構成
次に、無線基地局１０の詳細構成、具体的には、データ送信制御部１２０及び設定情報生成部１３０の構成について説明する。
【００６４】
データ送信制御部１２０は、スケジューリング部１２１及びリンクアダプテーション部１２２を有する。
【００６５】
スケジューリング部１２１は、現在および過去に測定した伝搬路特性値に基づき、データ送信用に周波数帯域を割り当てる無線端末ＵＥを選択する。本実施形態では、スケジューリング処理のアルゴリズムとしてプロポーショナルフェア（ＰＦ）アルゴリズムを用いる。プロポーショナルフェアアルゴリズムでは、平均スループット（平均伝搬路特性値）に対する瞬時のスループット（瞬時伝搬路特性値）の比が割り当て優先度として算出される。具体的には、プロポーショナルフェアアルゴリズムは、次式が最も大きい無線端末ＵＥxおよび周波数帯域kから優先的に周波数帯域を割り当てる（非特許文献１参照）。
【００６６】
【数１】
2010258831.tif 000003
【００６７】
ここで、Tx(i)は、無線端末ＵＥxのサブフレームiまでに測定された平均スループット、Rx(i,k)はサブフレームiにおいて伝搬路特性値から期待される周波数帯域kでのスループットである。
【００６８】
リンクアダプテーション部１２２は、スケジューリング部１２１において選択された無線端末ＵＥxおよび周波数帯域kに対して、伝搬路特性値に基づき、変調方式、符号化率、送信帯域幅、送信電力などを決定する。すなわち、リンクアダプテーション部１２２は、適応変調・符号化（ＡＭＣ）に従った処理や送信電力制御（ＴＰＣ）に従った処理などを行う。
【００６９】
設定情報生成部１３０は、特定部１３１及びＳＲＳパラメータ設定部１３２を有する。特定部１３１は、動作パターン１〜４の少なくとも１つを用いて低寄与度周波数帯域を特定する。
【００７０】
ＳＲＳパラメータ設定部１３２は、ＳＲＳパラメータ設定部１３２は、無線端末ＵＥがＳＲＳを送信する時間及び周波数等のＳＲＳパラメータを設定し、当該ＳＲＳパラメータを無線通信部２００から無線端末ＵＥに送信させる。ＳＲＳパラメータ設定部１３２は、特定部１３１によって特定された低寄与度周波数帯域を含む周波数帯域に対してＳＲＳを優先的に送信するようＳＲＳパラメータを設定する。具体的には、ＳＲＳパラメータのうちのＳＲＳ送信開始帯域を、特定部１３１によって特定された低寄与度周波数帯域に対応する周波数帯域に設定する。
【００７１】
（４）無線基地局の動作
次に、図５〜図９を用いて、無線基地局１０の動作パターン１〜４について説明する。
【００７２】
（４．１）動作パターン１
図５は、無線基地局１０の動作パターン１を示すフローチャートである。
【００７３】
ステップＳ１において、無線通信部２００は、各無線端末ＵＥから送信されたＳＲＳをアンテナＡＮＴを介して受信し、受信処理を施す。
【００７４】
ステップＳ２において、チャネル推定部１１０は、無線通信部２００が受信したＳＲＳを用いて、各無線端末ＵＥとの間の各周波数帯域の伝搬路特性値を測定するチャネル推定処理を行う。
【００７５】
ステップＳ３において、スケジューリング部１２１は、式（１）に従って割り当て優先度を計算し、当該割り当て優先度に応じて、周波数帯域kに割り当てる無線端末ＵＥxを選択する。
【００７６】
ステップＳ４において、リンクアダプテーション部１２２は、スケジューリング部１２１において選択された無線端末ＵＥxおよび周波数帯域kについて、チャネル推定部１１０によって測定された伝搬路特性値に基づき、変調方式、符号化率、送信帯域幅、送信電力などを決定する。
【００７７】
ステップＳ５Ａにおいて、特定部１３１は、スケジューリング部１２１から得られる情報に基づき、周波数利用率を計算する。特定部１３１は、前回（サブフレームi-1）に計算された周波数利用率を利用して今回（サブフレームi）の周波数利用率を計算する。例えば、スケジューリング部１２１において、リソース（周波数帯域）が割り当てられた無線端末ＵＥ数をX、割り当てられた順にx0, x1,…, xn,…, x(X-1)、周波数帯域をkx0, kx1,…, kxn, …, kx(X-1)とすると、特定部１３１は周波数利用率を以下の式（２）により計算する。
【００７８】
【数２】
2010258831.tif 000004
【００７９】
ここで、FreqEff(i,kxn)は、サブフレームi及び周波数帯域kxnに対する周波数利用率、FreqEff(i-1,kxn)は、サブフレームi-1及び周波数帯域kxnに対する周波数利用率、α1は重み付け用の定数、βは忘却係数である。
【００８０】
ＳＲＳの送信を開始させる無線端末ＵＥ（以下、新規ＳＲＳ送信端末）が存在する場合（ステップＳ６；ＹＥＳ）、ステップＳ７Ａにおいて、特定部１３１は、ステップＳ５Ａで周波数帯域毎に計算された周波数利用率に基づいて、周波数利用率が最も低い周波数帯域を低寄与度周波数帯域kminとして特定する。
【００８１】
なお、ステップＳ７Ａの処理は、ステップＳ５ＡとステップＳ６との間で実行してもよい。
【００８２】
ステップＳ８において、ＳＲＳパラメータ設定部１３２は、低寄与度周波数帯域kminを含む周波数帯域からＳＲＳを送信するように、ＳＲＳパラメータ（ＳＲＳ送信開始帯域）を設定する。このとき、レポート情報に基づき、パスロスの大きい無線端末ＵＥであれば狭帯域、移動速度の早い無線端末ＵＥであれば短周期のＳＲＳパラメータ設定も同時に行う。
【００８３】
ステップＳ９において、無線通信部２００は、ＳＲＳパラメータ設定部１３２によって設定されたＳＲＳパラメータを無線端末ＵＥ（新規ＳＲＳ送信端末）に送信する。
【００８４】
このように、動作パターン１によれば、上りシステム帯域を構成する各周波数帯域のうち、周波数利用率が最も低い周波数帯域を低寄与度周波数帯域kminとすることによって、無線端末ＵＥ数が最も少ない周波数帯域を有効に利用可能となる。
【００８５】
（４．２）動作パターン２
図６は、無線基地局１０の動作パターン２を示すフローチャートである。
【００８６】
ステップＳ１〜Ｓ４の各処理は、動作パターン１と同様にして実行される。
【００８７】
ステップＳ５Ｂにおいて、特定部１３１は、リンクアダプテーション部１２２から得られる情報に基づき、周波数効率を計算する。例えば、スケジューリング部１２１で割り当てられた周波数帯域kxnに加えて周波数帯域kxn(m)を割り当てることで改善したデータ送信量（スループット）の比率をγxn(m) （m=1,2,…,M-1:Mはリンクアダプテーションの結果無線端末ＵＥxnに割り当てられた周波数帯域数）とすると、特定部１３１は周波数効率を以下の式（３）により計算する。
【００８８】
【数３】
2010258831.tif 000005
【００８９】
ここで、FreqEff(i,kxn(m))は、サブフレームi及び周波数帯域kxn(m)に対する周波数効率、FreqEff(i-1,kxn(m))は、サブフレームi-1及び周波数帯域kxn(m)に対する周波数効率、α2は重み付け用の定数、βは忘却係数である。
【００９０】
新規ＳＲＳ送信端末が存在する場合（ステップＳ６；ＹＥＳ）、ステップＳ７Ｂにおいて、特定部１３１は、ステップＳ５Ｂで周波数帯域毎に計算された周波数効率に基づいて、周波数効率が最も低い周波数帯域を低寄与度周波数帯域kminとして特定する。
【００９１】
ステップＳ８，Ｓ９の各処理は、動作パターン１と同様にして実行される。
【００９２】
各周波数帯域の伝搬路特性値が図７（ａ）のような状況の場合、図７（ｂ）に示すような周波数効率分布になると考えられる。図７（ａ）の例では、図１に示す無線端末ＵＥ１及び無線端末ＵＥ２についての各周波数帯域の伝搬路特性値を示している。新規ＳＲＳ送信端末である無線端末ＵＥ３は、図７（ｂ）に示す低寄与度周波数帯域kminからＳＲＳを送信開始すれば、狭帯域のＳＲＳであっても、無線端末ＵＥ１及び無線端末ＵＥ２の各スループットを低下させることなく、低寄与度周波数帯域kminを効果的に利用できる。
【００９３】
（４．３）動作パターン３
図８は、無線基地局１０の動作パターン３を示すフローチャートである。
【００９４】
ステップＳ１〜Ｓ４の各処理は、動作パターン１と同様にして実行される。
【００９５】
ステップＳ５Ｃにおいて、特定部１３１は、スケジューリング部１２１から得られる情報に基づき、周波数優先利用率を計算する。例えば、スケジューリング部１２１において、リソースが割り当てられた無線端末ＵＥ数をX、割り当てられた順にx0,x1,…,xn,…,x(X-1)、周波数帯域をkx0,kx1,…,kxn,…,kx(X-1)とすると、特定部１３１は、無線端末ＵＥxnに対して割り当てられた周波数帯域kxn(m)の周波数優先利用率を以下の式（４）により計算する。
【００９６】
【数４】
2010258831.tif 000006
【００９７】
ここで、
【００９８】
【数５】
2010258831.tif 000007
は、無線端末ＵＥxnに対して割り当てられた周波数帯域kxn(m)の割り当て優先度であり、スケジューリング部１２１において計算される値である。
【００９９】
新規ＳＲＳ送信端末が存在する場合（ステップＳ６；ＹＥＳ）、ステップＳ７Ｃにおいて、特定部１３１は、ステップＳ５Ｃで周波数帯域毎に計算された周波数優先利用率に基づいて、周波数優先利用率が最も低い周波数帯域を低寄与度周波数帯域kminとして特定する。
【０１００】
ステップＳ８，Ｓ９の各処理は、動作パターン１と同様にして実行される。
【０１０１】
このように、動作パターン３によれば、上りシステム帯域を構成する各周波数帯域のうち、周波数優先利用率が最も低い周波数帯域を低寄与度周波数帯域kminとすることによって、優先的な割り当てがなされていない周波数帯域を有効に利用可能となる。
【０１０２】
（４．４）動作パターン４
図９は、無線基地局１０の動作パターン４を示すフローチャートである。
【０１０３】
ステップＳ１〜Ｓ４の各処理は、動作パターン１と同様にして実行される。
【０１０４】
ステップＳ５Ｄにおいて、特定部１３１は、スケジューリング部１２１及びリンクアダプテーション部１２２から得られる情報に基づき、セルエッジ端末利用率を計算する。例えば、特定部１３１は、式（１）において、無線端末ＵＥ数Xのうちパスロスが所定値以上の無線端末ＵＥ数を用いてセルエッジ端末利用率を計算する。
【０１０５】
新規ＳＲＳ送信端末が存在する場合（ステップＳ６；ＹＥＳ）、ステップＳ７Ｄにおいて、特定部１３１は、ステップＳ５Ｄで周波数帯域毎に計算されたセルエッジ端末利用率に基づいて、セルエッジ端末利用率が最も低い周波数帯域を低寄与度周波数帯域kminとして特定する。
【０１０６】
ステップＳ８，Ｓ９の各処理は、動作パターン１と同様にして実行される。
【０１０７】
このように、動作パターン４によれば、上りシステム帯域を構成する各周波数帯域のうち、セルエッジ端末利用率が最も低い周波数帯域を低寄与度周波数帯域kminとすることによって、セルエッジ周辺に位置する無線端末ＵＥの数が最も少ない周波数帯域を有効に利用可能となる。セルエッジ周辺に位置する無線端末ＵＥについては、無線基地局１０との上り通信を良好に行うことが難しいため、そのような無線端末ＵＥに周波数帯域を継続して利用させることで、セルエッジ周辺に位置する無線端末ＵＥの上り通信に悪影響を与えることを回避できる。
【０１０８】
（５）作用・効果
以上説明したように、本実施形態によれば、無線端末ＵＥ３（新規送信端末）に対し、低寄与度周波数帯域kminに対応する周波数帯域でＳＲＳを参照信号を送信させることにより、無線端末ＵＥ３（新規送信端末）について低寄与度周波数帯域kminの伝搬路特性値を測定できるため、低寄与度周波数帯域kminを無線端末ＵＥ３（新規送信端末）に割り当て易くすることができ、無線端末ＵＥ３（新規送信端末）が多くのデータ送信機会を得ることができる。
【０１０９】
低寄与度周波数帯域kminが無線端末ＵＥ３（新規送信端末）に割り当てられた場合、低寄与度周波数帯域kminの伝搬路特性値が測定されているため、当該伝搬路特性値を用いたリンクアダプテーションが良好に機能し、無線端末ＵＥ３（新規送信端末）のスループットが改善される。
【０１１０】
また、無線端末ＵＥ１及びＵＥ２（既存端末）については、データ送信に効果的に利用されていると推定される周波数帯域の利用を継続でき、無線端末ＵＥ１及びＵＥ２（既存端末）のデータ送信機会を維持できるため、無線端末ＵＥ１及びＵＥ２（既存端末）のスループット低下も回避できる。
【０１１１】
したがって、本実施形態に係る無線基地局１０によれば、狭帯域の参照信号を無線端末ＵＥ３（新規送信端末）に送信させる場合でも、無線端末ＵＥ１及びＵＥ２（既存端末）の上り通信に悪影響を与えることなく、無線端末ＵＥ３（新規送信端末）のスループットを改善できる。
【０１１２】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１１３】
上述した実施形態では、無線基地局１０が低寄与度周波数帯域を特定していたが、無線基地局１０を制御する基地局制御装置などで低寄与度周波数帯域を特定してもよい。
【０１１４】
上述した実施形態では、スケジューリング処理に利用されるアルゴリズムがプロポーショナルフェアアルゴリズムであったが、他のアルゴリズム（例えば、Ｍａｘ  ＣＩＲなど）を用いてもよい。
【０１１５】
上述した実施形態では、設定情報生成部１３０の特定部１３１は、低寄与度周波数帯域を特定していたが、上りシステム帯域においてデータ送信に効果的に利用されていると推定される高寄与度周波数帯域を特定してもよい。この場合、特定部１３１は、動作パターン１において例えば周波数利用率が最も低い周波数帯域以外を高寄与度周波数帯域として特定し、動作パターン２において例えば周波数効率が最も低い周波数帯域以外を高寄与度周波数帯域として特定し、動作パターン３において例えば上りシステム帯域において例えば周波数優先利用率が最も低い周波数帯域以外を高寄与度周波数帯域として特定し、動作パターン４において例えばセルエッジ端末利用率が最も低い周波数帯域以外を高寄与度周波数帯域として特定してもよい。
【０１１６】
上述した実施形態では、E-UTRA(3GPP Release8)に基づく無線通信システム１について説明したが、E-UTRAと同様の仕組みを有する他の無線通信システムに対して本発明を適用してもよい。例えば、上りの通信方式は、SC-FDMAに限らずOFDMAなどであってもよい。また、3GPP Release8を発展させたLTE Advancedに対して本発明を適用してもよい。
【０１１７】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１１８】
ＡＮＴ…アンテナ、ＵＥ…無線端末、１０…無線基地局、１００…制御部、１１０…チャネル推定部、１２０…データ送信制御部、１２１…スケジューリング部、１２２…リンクアダプテーション部、１３０…設定情報生成部、１３１…特定部、１３２…ＳＲＳパラメータ設定部、２００…無線通信部、３００…有線通信部、４００…記憶部
【図１】
2010258831.tif 000008
【図２】
2010258831.tif 000009
【図３】
2010258831.tif 000010
【図４】
2010258831.tif 000011
【図５】
2010258831.tif 000012
【図６】
2010258831.tif 000013
【図７】
2010258831.tif 000014
【図８】
2010258831.tif 000015
【図９】
2010258831.tif 000016